(57)【要約】      （修正有）【課題】広告等として配布することができるように安価に製造することができるとともに、娯楽性が高い貯金箱を提供する。【解決手段】硬貨の径よりも大きい開口部Ｏｐが形成されている第１の厚紙１と、第１の厚紙１に間隔をあけて設けられている第２の厚紙２と、開口部Ｏｐに連通し、硬貨が移動する通路を含み、第１の厚紙１と第２の厚紙２との間に挟まれている第３の厚紙３と、を備え、第１の厚紙１には、通路に沿って開口するスリット部１Ａが形成されている。【選択図】図２
0003211638.tif 000002
【実用新案登録請求の範囲】
【請求項１】
硬貨の径よりも大きい開口部が形成されている第１の厚紙と、
前記第１の厚紙に間隔をあけて設けられている第２の厚紙と、
前記開口部に連通し、前記硬貨が移動する通路を含み、前記第１の厚紙と前記第２の厚紙との間に挟まれている第３の厚紙と、
を備え、
前記第１の厚紙には、前記通路に沿って開口するスリット部が形成されている
ことを特徴とする貯金箱。
【請求項２】
前記スリット部の幅寸法は、前記通路の幅寸法よりも小さい
ことを特徴とする請求項１に記載の貯金箱。
【請求項３】
前記第１の厚紙の表面のうち、前記第３の厚紙側の表面の裏面にあたる表面には、印刷が施されている
ことを特徴とする請求項１又は２に記載の貯金箱。
【請求項４】
前記通路は、前記硬貨の移動方向が第１の方向である第１の直線通路と、前記第１の直線通路の端部に繋がっている折曲通路と、前記折曲通路に繋がっており、前記硬貨の移動方向が前記第１の方向とは交差する第２の方向である第２の直線通路とを含む
ことを特徴とする請求項１〜３のいずれか一項に記載の貯金箱。
【請求項５】
前記第１の厚紙には、前記開口部が複数形成され、
前記第３の厚紙には、前記通路が複数形成され、
前記第３の厚紙の各通路は、
前記第１の厚紙の各開口部に連通し、
各開口部が設けられている部分から、終端部にかけて直線状に形成されている
ことを特徴とする請求項１〜３のいずれか一項に記載の貯金箱。
【考案の詳細な説明】
【技術分野】
【０００１】
本考案は、貯金箱に関するものである。
【背景技術】
【０００２】
従来から、板状のパネルを積層したパネルタイプの貯金箱が提案されている（例えば、特許文献１参照）。特許文献１に記載の貯金箱は、前面を構成するパネルと、後面を構成するパネルとの間に、発泡プラスチックより構成される板状の保持体が設けられている。保持体には、硬貨を収容する貫通穴が複数形成されている。
【先行技術文献】
【特許文献】
【０００３】
【特許文献１】特開２００４−２３０１５５号公報
【考案の概要】
【考案が解決しようとする課題】
【０００４】
特許文献１に記載の貯金箱は保持体に硬貨を嵌める構成を採用している。このため、特許文献１の貯金箱は、ユーザーが貯金箱に硬貨を入れても硬貨に動きがなく、娯楽性に欠ける。娯楽性に欠けると、ユーザーは、貯金箱に貯金する意欲が喪失してしまい、貯金箱を利用しなくなる可能性が高まる。また、特許文献１の貯金箱は保持体に硬貨を嵌めるだけなので、貯金箱に硬貨が貯まっていくという高揚感を抱きにくく、この点でも娯楽性に欠ける。これらのように、貯金箱の娯楽性が欠けていると、貯金箱がユーザーに廃棄されてしまう場合もある。
【０００５】
特許文献１のようなパネルタイプの貯金箱は、厚紙等を用いて製造することができるため、比較的安価である。このため、パネルタイプの貯金箱は、貯金箱の表面に広告を印刷し、配布する用途として期待される。ここで、パネルタイプの貯金箱は、一般的な紙の広告等と比較すれば、実用性が高いので、直ちに廃棄されてしまう可能性は低い。しかし、上述の通り、娯楽性に欠けていると、ユーザーが使用をする意欲が薄れ、一般的な紙の広告等と同様に、いずれ廃棄されてしまう可能性が高まる。
【０００６】
本考案は、上記のような課題を解決するためになされたものであり、広告等として配布することができるように安価に製造することができるとともに、娯楽性が高い貯金箱を提供することを目的としている。
【課題を解決するための手段】
【０００７】
本考案に係る貯金箱は、硬貨の径よりも大きい開口部が形成されている第１の厚紙と、第１の厚紙に間隔をあけて設けられている第２の厚紙と、開口部に連通し、硬貨が移動する通路を含み、第１の厚紙と第２の厚紙との間に挟まれている第３の厚紙と、を備え、第１の厚紙には、通路に沿って開口するスリット部が形成されている。
【０００８】
また、本考案に係る貯金箱は、スリット部の幅寸法は、通路の幅寸法よりも小さい。
【０００９】
また、本考案に係る貯金箱は、第１の厚紙の表面のうち、第３の厚紙側の表面の裏面にあたる表面には、印刷が施されている。
【００１０】
また、本考案に係る貯金箱は、通路は、硬貨の移動方向が第１の方向である第１の直線通路と、第１の直線通路の端部に繋がっている折曲通路と、折曲通路に繋がっており、硬貨の移動方向が第１の方向とは交差する第２の方向である第２の直線通路とを含む。
【００１１】
また、本考案に係る貯金箱は、第１の厚紙には、開口部が複数形成され、第３の厚紙には通路が複数形成され、第３の厚紙の各通路は、第１の厚紙の各開口部に連通し、各開口部が設けられている部分から、終端部にかけて直線状に形成されている。
【考案の効果】
【００１２】
本考案に係る貯金箱は、第３の厚紙には、第１の厚紙と第２の厚紙との間に設けられ、硬貨が移動する通路が形成されている。したがって、ユーザーが第１の厚紙の開口部から硬貨を投入すると、硬貨が通路を移動していく。ユーザーは硬貨の動きをスリット部を介して見ることができる。このため、本考案に係る貯金箱は娯楽性が向上している。
また、本考案に係る貯金箱は、硬貨が移動する通路が形成されているので、硬貨の投入を繰り返していくと、通路には硬貨が貯まってくる。このため、ユーザーは、スリット部を介して貯まった硬貨を見ることができ、高揚感を得ることができる。したがって、本考案に係る貯金箱は娯楽性が向上している。
また、本考案に係る貯金箱は、厚紙で製造することができるため、安価である。
更に、本考案に係る貯金箱は、表面が第１の厚紙及び第２の厚紙であるため、広告を容易に印刷することができる。
【図面の簡単な説明】
【００１３】
【図１】実施の形態１に係る貯金箱の構成説明図である。
【図２】実施の形態１に係る貯金箱の斜視図である。
【図３】実施の形態１に係る貯金箱の分解斜視図である。
【図４】実施の形態１に係る貯金箱の第１の厚紙、第２の厚紙、及び第３の厚紙の平面視図である。
【図５】実施の形態１に係る貯金箱の通路の説明図である。
【図６】実施の形態２に係る貯金箱の構成説明図である。
【図７】実施の形態２に係る貯金箱の斜視図である。
【考案を実施するための形態】
【００１４】
以下、本発明の実施の形態を図面に基づいて説明する。
なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１５】
図１は、実施の形態１に係る貯金箱１００の構成説明図である。
図２は、実施の形態１に係る貯金箱１００の斜視図である。
図３は、実施の形態１に係る貯金箱１００の分解斜視図である。
図４は、実施の形態１に係る貯金箱１００の第１の厚紙１、第２の厚紙２、及び第３の厚紙３の平面視図である。
なお、図１において、通路Ｐのうち第１の厚紙１で隠れて見えない部分を点線で示している。
【００１６】
なお、Ｚ方向は、貯金箱１００を立てたときに、上下方向に対応している。
また、Ｘ方向は、貯金箱１００を立てて貯金箱１００を正面視したときに、左右方向に対応している。この左右方向は、水平面に平行である。
【００１７】
貯金箱１００は、開口部Ｏｐが形成されている第１の厚紙１と、第１の厚紙１に間隔をあけて設けられている第２の厚紙２と、第１の厚紙１と第２の厚紙２との間に挟まれている第３の厚紙３とを備えている。第１の厚紙１、第２の厚紙２及び第３の厚紙のそれぞれの厚みは限定されるものではないが、実施の形態１では、同じ厚みであるものとして説明する。同じ厚みであれば、同一材料を流用することができ、貯金箱１００の製造コストを低減することができる。
【００１８】
第１の厚紙１は、矩形状部材である。第１の厚紙１の上部には、開口部Ｏｐが形成されている。開口部Ｏｐは硬貨の投入口である。開口部Ｏｐの形状は円形である。開口部Ｏｐの径は硬貨の径よりも大きい。実施の形態１の貯金箱１００は５００円硬貨用の貯金箱であるため、開口部Ｏｐの径は５００円硬貨の径より大きい。第１の厚紙１の表面のうち、第３の厚紙３側の表面の裏面にあたる表面には、印刷が施されている。図１に示すように、第１の厚紙１の開口部Ｏｐの形成位置には、「Ｉｎ」という文字が印刷されている。これにより、ユーザーは、開口部Ｏｐから硬貨を投入することを知ることができる。また、図１に示すように、第１の厚紙１には、「１００００円」、「７５００円」、「５０００円」「２５００円」「５００円」との文字が印刷されている。これにより、ユーザーは、貯金箱１００にどの程度のお金がたまったかを把握することができる。第１の厚紙１は第３の厚紙３の一方の面に接着剤で貼り付けられている。なお、第１の厚紙１及び第３の厚紙３はプラスチック等ではなく、紙であるため、安価な接着剤を用いても、第１の厚紙１を第３の厚紙３に容易に貼り付けることができる。また、第１の厚紙１は紙であるため、広告等の印刷が容易である。
【００１９】
第２の厚紙２は、矩形状部材である。第２の厚紙２は開口部等が形成されていない。第２の厚紙２は第３の厚紙３の他方の面に接着剤で貼り付けられている。実施の形態１では第２の厚紙２に特に何も印刷されていないが、適宜、広告等を印刷することができる。なお、第２の厚紙２及び第３の厚紙３はプラスチック等ではなく、紙であるため、安価な接着剤を用いても、第２の厚紙２を第３の厚紙３に容易に貼り付けることができる。
【００２０】
第３の厚紙３は、図３に示すように、切抜部Ｔが形成されている。切抜部Ｔは、第３の厚紙３を貫通している。第３の厚紙３の一方の面には第１の厚紙１が貼り付けられるとともに第３の厚紙３の他方の面には第２の厚紙２が貼り付けられることで、切抜部Ｔの形成部分には、硬貨が通過することができる通路Ｐが形成される。つまり、硬貨が通路Ｐを移動するときには、硬貨は第１の厚紙１の内面及び第２の厚紙の内面にガイドされながら、切抜部Ｔ上を転がる。通路Ｐは、図１及び図４に示すように、ジグザグ状に形成されている。
【００２１】
第３の厚紙３の厚みは、硬貨の厚みに基づいて決定するとよい。例えば、第３の厚紙３の厚みは、硬貨１枚分の厚み以上であって硬貨２枚分の厚み以下とするとよい。５００円硬貨の厚みは、約１．８ｍｍ程度であるため、５００円硬貨を貯金する貯金箱の場合には、第３の厚紙３の厚みは、例えば２ｍｍ以上、３ｍｍ以下とするとよい。これにより、通路Ｐで硬貨が重なってしまうことを回避することができる。
【００２２】
貯金箱１００は、どの程度、硬貨が貯まっているかを目視で容易に把握できるように構成されている。すなわち、貯金箱１００の第１の厚紙１には、スリット部１Ａが形成されている。スリット部１Ａは第１の厚紙１を貫通している。このため、通路Ｐに貯まっている硬貨は、スリット部１Ａを介して露出する。スリット部１Ａは、通路Ｐに対応する形状を有している。つまり、スリット部１Ａは、通路Ｐに沿って開口している。実施の形態１では、通路Ｐはジグザグ状に形成されているため、スリット部１Ａは、ジグザグ状に形成されている。スリット部１Ａの幅寸法は、通路Ｐの幅寸法よりも小さい。
【００２３】
図５は、実施の形態１に係る貯金箱１００の通路Ｐの説明図である。
第３の厚紙３の通路Ｐの幅は、硬貨の径よりも大きい。実施の形態１の貯金箱１００は、５００円用の貯金箱であるため、通路Ｐの幅は、５００円硬貨の径よりも大きくなっている。通路Ｐは、入口通路３Ａと、直線通路３Ｂと、直線通路３Ｃと、直線通路３Ｄと、直線通路３Ｅとを備えている。貯金箱１００には、上側から順番に、入口通路３Ａ、直線通路３Ｂ、直線通路３Ｃ、直線通路３Ｄ、及び直線通路３Ｅが配置されている。また、第３の厚紙３の通路Ｐは、折曲通路４Ａと、折曲通路４Ｂと、折曲通路４Ｃとを備えている。入口通路３Ａは第１の厚紙１の開口部Ｏｐに重なるように設けられている。開口部Ｏｐに投入された硬貨は、入口通路３Ａに至る。直線通路３Ｂは、図１に示すように、Ｚ方向に平行に設けられている。このため、入口通路３Ａの硬貨は、速やかに、Ｚ方向に平行にスライド移動する。直線通路３Ｃ、直線通路３Ｄ、直線通路３Ｅは、Ｘ方向に対して、傾斜している。このため、硬貨は、直線通路３Ｃ、直線通路３Ｄ又は直線通路３Ｅを転がりながら移動する。直線通路３Ｃと直線通路３Ｅとは例えば平行である。直線通路３Ｅの下端部が、貯金箱１００の硬貨を収容する部分の終端部Ｔｔである。つまり、貯金箱１００には終端部Ｔｔから順番に硬貨が貯まっていく。折曲通路４Ａは直線通路３Ｂと直線通路３Ｃとを繋ぐ通路である。折曲通路４Ｂは直線通路３Ｃと直線通路３Ｄとを繋ぐ通路である。折曲通路４Ｃは直線通路３Ｄと直線通路３Ｅとを繋ぐ通路である。
【００２４】
図１及び図５を参照して、貯金箱１００に貯金をするときの動作を説明する。
ユーザーは開口部Ｏｐに５００円硬貨を投入する。すると、５００円硬貨は、直線通路３Ｂに至り、重力の作用により、Ｚ方向に移動する。次に、５００円硬貨は、折曲通路４Ａを経て、直線通路３Ｃに至ると、直線通路３Ｃ上を転がりながら、移動する。５００円硬貨は、直線通路３Ｃの下端部及び折曲通路４Ｂを経て、直線通路３Ｄに至る。５００円硬貨は、直線通路３Ｄに至ると、直線通路３Ｄ上を転がりながら、移動する。更に、５００円硬貨は、直線通路３Ｄの下端部及び折曲通路４Ｃを経て、直線通路３Ｅに至る。最後に、５００円硬貨は、直線通路３Ｅ上を転がりながら、終端部Ｔｔに至る。５００円硬貨を貯金箱１００に投入することを繰り返すと、終端部Ｔｔから順番に５００円硬貨が貯まる。例えば、５００円硬貨を１枚、貯金箱１００に貯金した後に、もう１枚、５００円硬貨を貯金箱１００に投入すると、この５００円硬貨は、終端部Ｔｔに位置している５００円硬貨の隣で止まる。５００円硬貨を貯金箱１００へ投入することを繰り返すことで、通路Ｐが徐々に埋まっていく。実施の形態１の貯金箱１００は、２０枚の５００円硬貨を貯金することができるように構成されている。
【００２５】
実施の形態１に係る貯金箱１００は、硬貨の径よりも大きい開口部Ｏｐが形成されている第１の厚紙１と、第１の厚紙１に間隔をあけて設けられている第２の厚紙２と、開口部Ｏｐに連通し、硬貨が移動する通路Ｐを含み、第１の厚紙１と第２の厚紙２との間に挟まれている第３の厚紙３とを備えている。したがって、ユーザーは第１の厚紙１の開口部Ｏｐから硬貨を投入すると、硬貨が通路を移動していく。ユーザーはスリット部１Ａを介して移動する硬貨を見ることができるので、貯金箱１００は娯楽性が向上している。
【００２６】
また、実施の形態１に係る貯金箱１００は、硬貨が移動する通路Ｐが形成されているので、硬貨の投入を繰り返していくと、通路Ｐには硬貨が貯まってくる。ユーザーは貯金箱１００に貯まった硬貨を、スリット部１Ａを介して見ることができる。このため、ユーザーは貯金が貯まることによる高揚感を得ることができる。したがって、貯金箱１００は娯楽性が向上している。
【００２７】
また、実施の形態１に係る貯金箱１００は、厚紙で製造することができるため、安価である。
【００２８】
更に、実施の形態１に係る貯金箱１００は、表面が第１の厚紙１及び第２の厚紙２であるため、すなわち、貯金箱１００の表面が紙製であるため、広告を容易に印刷することができる。実施の形態１に係る貯金箱１００は広告を容易に印刷することができるため、配布する用途として適している。実施の形態１に係る貯金箱１００は、実用性が高く、且つ、娯楽性が向上しているため、配布された後に廃棄されてしまう可能性を低下させることができる。このため、貯金箱１００の広告としての機能をより向上させることができる。
【００２９】
実施の形態１に係る貯金箱１００の通路Ｐは、硬貨の移動方向が第１の方向である第１の直線通路と、第１の直線通路の端部に繋がっている折曲通路と、折曲通路に繋がっており、硬貨の移動方向が第１の方向とは交差する第２の方向である第２の直線通路とを含む。本考案の第１の直線通路及び第２の直線通路は、実施の形態１の直線通路３Ｂ及び直線通路３Ｃが対応する。また、本考案の第１の直線通路及び第２の直線通路は、実施の形態１の直線通路３Ｃ及び直線通路３Ｄが対応する。更に、本考案の第１の直線通路及び第２の直線通路は、実施の形態１の直線通路３Ｄ及び直線通路３Ｅが対応する。このように、貯金箱１００は、硬貨の移動方向が異なる複数の通路を備えているので、硬貨の動きに多様性が生じ、より娯楽性を向上させることができる。
【００３０】
実施の形態２．
実施の形態２は、実施の形態１とは相違する部分を中心に説明するものとし、共通する構成については同一符号を付し、説明を省略する。実施の形態２では、複数の種類の硬貨を貯金することができるように構成されている。
【００３１】
図６は、実施の形態２に係る貯金箱２００の構成説明図である。
図７は、実施の形態２に係る貯金箱２００の斜視図である。
なお、図６において、通路Ｐ１〜Ｐ４のうち第１の厚紙１で隠れて見えない部分を点線で示している。
【００３２】
第１の厚紙１０は、開口部Ｏｐ１、開口部Ｏｐ２、開口部Ｏｐ３及び開口部Ｏｐ４が同一直線上に並ぶように形成されている。開口部Ｏｐ１は５００円硬貨の投入口である。開口部Ｏｐ２は１００円硬貨の投入口である。開口部Ｏｐ３は５０円硬貨の投入口である。開口部Ｏｐ４は１０円硬貨の投入口である。
第１の厚紙１０には、開口部Ｏｐ１につながるスリット部１０Ａ１と、開口部Ｏｐ２につながるスリット部１０Ａ２と、開口部Ｏｐ３につながるスリット部１０Ａ３と、開口部Ｏｐ４につながるスリット部１０Ａ４と、が形成されている。スリット部１０Ａ１、スリット部１０Ａ２、スリット部１０Ａ３及びスリット部１０Ａ４はそれぞれ平行である。
【００３３】
第３の厚紙３０には、４つの平行な切抜部（図示省略）が形成されている。第３の厚紙３０の一方の面には第１の厚紙１０が貼り付けられるとともに第３の厚紙３の他方の面には第２の厚紙２が貼り付けられることで、切抜部の形成部分には、硬貨が通過することができる通路Ｐ１、通路Ｐ２、通路Ｐ３及び通路Ｐ４が形成される。通路Ｐ１、通路Ｐ２、通路Ｐ３及び通路Ｐ４は、それぞれ独立している。つまり、例えば通路Ｐ１と例えば通路Ｐ２とは繋がっていないため、５００円硬貨と１００円硬貨とが混ざってしまうことがない。
【００３４】
第３の厚紙３０の各通路は、第１の厚紙１０の各開口部に連通している。つまり、通路Ｐ１は開口部Ｏｐ１に連通し、通路Ｐ２は開口部Ｏｐ２に連通し、通路Ｐ３は開口部Ｏｐ３に連通し、通路Ｐ４は開口部Ｏｐ４に連通する。
実施の形態２では、通路Ｐ１、通路Ｐ２、通路Ｐ３及び通路Ｐ４の形状は直線状である。通路Ｐ１は、開口部Ｏｐ１が設けられている部分から、終端部Ｔｔにかけて直線状に形成されている。また、通路Ｐ２は、開口部Ｏｐ２が設けられている部分から、終端部Ｔｔにかけて直線状に形成されている。また、通路Ｐ３は、開口部Ｏｐ３が設けられている部分から、終端部Ｔｔにかけて直線状に形成されている。更に、通路Ｐ４は、開口部Ｏｐ４が設けられている部分から、終端部Ｔｔにかけて直線状に形成されている。
【符号の説明】
【００３５】
１  第１の厚紙、１Ａ  スリット部、２  第２の厚紙、３  第３の厚紙、３Ａ  入口通路、３Ｂ  直線通路、３Ｃ  直線通路、３Ｄ  直線通路、３Ｅ  直線通路、４Ａ  折曲通路、４Ｂ  折曲通路、４Ｃ  折曲通路、１０  第１の厚紙、３０  第３の厚紙、１００  貯金箱、２００  貯金箱、Ｏｐ  開口部、Ｏｐ１  開口部、Ｏｐ２  開口部、Ｏｐ３  開口部、Ｏｐ４  開口部、Ｐ  通路、Ｐ１  通路、Ｐ２  通路、Ｐ３  通路、Ｐ４  通路、Ｔ  切抜部、Ｔｔ  終端部。
【図１】
0003211638.tif 000003
【図２】
0003211638.tif 000004
【図３】
0003211638.tif 000005
【図４】
0003211638.tif 000006
【図５】
0003211638.tif 000007
【図６】
0003211638.tif 000008
【図７】
0003211638.tif 000009